(57)【要約】【課題】結露が生じ得る状態において、ユーザの意向に応じた処理を行うことを目的とする。【解決手段】画像を印刷する画像形成装置であって、画像に対する印刷処理を行う印刷処理手段と、画像形成装置が結露が生じ得る状態である場合に、印刷結果の確認画面を表示手段に表示させる表示処理手段と、前記印刷処理の対象となった対象画像に対する処理に係る指示を受け付ける受付手段とを有する。【選択図】図３
2018056914.tif 000002
【特許請求の範囲】
【請求項１】
画像を印刷する画像形成装置であって、
画像に対する印刷処理を行う印刷処理手段と、
前記画像形成装置が結露が生じ得る状態である場合に、印刷結果の確認画面を表示手段に表示させる表示処理手段と、
前記印刷処理の対象となった対象画像に対する処理に係る指示を受け付ける受付手段と
を有することを特徴とする画像形成装置。
【請求項２】
前記受付手段が前記対象画像を消去しない旨の指示を受け付けた場合に、前記対象画像を記憶する記憶手段から前記対象画像を消去しないよう制御する第１の制御手段をさらに有することを特徴とする請求項１に記載の画像形成装置。
【請求項３】
前記第１の制御手段は、前記受付手段が前記対象画像の消去の指示を受け付けた場合に、前記対象画像を前記記憶手段から消去することを特徴とする請求項２に記載の画像形成装置。
【請求項４】
前記受付手段が印刷処理を停止する旨の指示を受け付けた場合に、前記印刷処理を停止するよう制御する第２の制御手段をさらに有することを特徴とする請求項１乃至３の何れか１項に記載の画像形成装置。
【請求項５】
前記受付手段が前記結露の除去の指示を受け付けた場合に、結露除去処理を行う結露除去手段をさらに有することを特徴とする請求項１乃至４の何れか１項に記載の画像形成装置。
【請求項６】
前記印刷処理手段は、前記結露除去処理の後、再び前記対象画像に対する印刷処理を行うことを特徴とする請求項５に記載の画像形成装置。
【請求項７】
前記表示処理手段は、前記受付手段が次回以降の印刷処理に対する前記印刷結果の確認画面の表示を行わない旨の指示を受け付けた場合に、前記印刷結果の確認画面の表示を行わないよう制御することを特徴とする請求項１乃至６の何れか１項に記載の画像形成装置。
【請求項８】
前記表示処理手段は、結露の可能性があると判定された場合に、結露が生じている可能性がある旨をユーザに通知する通知画面を表示することを特徴とする請求項１乃至７の何れか１項に記載の画像形成装置。
【請求項９】
前記対象画像は、ファクシミリ受信ジョブ及び外部装置のうち少なくとも一方から供給されるプリントジョブデータであることを特徴とする請求項１乃至８の何れか１項に記載の画像形成装置。
【請求項１０】
前記画像形成装置の温度変化に基づいて、前記結露が生じ得る状態か否かを判定する判定手段をさらに有することを特徴とする請求項１乃至９の何れか１項に記載の画像形成装置。
【請求項１１】
画像を印刷する画像形成装置が実行する制御方法であって、
画像に対する印刷処理を行う印刷処理ステップと、
前記画像形成装置が結露が生じ得る状態である場合に、印刷結果の確認画面を表示手段に表示させる表示処理ステップと、
前記印刷処理の対象となった対象画像に対する処理に係る指示を受け付ける受付ステップと
を含むことを特徴とする制御方法。
【請求項１２】
画像を印刷する画像形成装置のコンピュータを、
画像に対する印刷処理を行う印刷処理手段と、
前記画像形成装置が結露が生じ得る状態である場合に、印刷結果の確認画面を表示手段に表示させる表示処理手段と、
前記印刷処理の対象となった対象画像に対する処理に係る指示を受け付ける受付手段と
して機能させるためのプログラム。
【発明の詳細な説明】
【技術分野】
【０００１】
本発明は、画像形成装置、制御方法及びプログラムに関する。
【背景技術】
【０００２】
従来、ファクシミリ受信の機能を備えた画像形成装置において結露が発生すると、受信したデータの印字に失敗する場合があった。通常、受信データは印字後に削除されてしまうので、印字に失敗するとユーザは受信したデータの内容を確認できない場合があった。このような課題に対し、従来、以下の技術が提案されている。
【０００３】
特許文献１には、次の技術が開示されている。すなわち、夜間待機モードであり、かつ、機内温度が設定値以下の場合には、受信データを出力した後も受信データをメモリに保存する。装置が印刷可能な状態になったら受信データを印刷する。メモリに保持したデータは、印刷の終了しているデータのうち、古いものから削除していく。
【０００４】
また、特許文献２には、次の技術が開示されている。すなわち、データを受信すると、全て一旦メモリに蓄積する。結露によるリークが原因で電源の帯電電圧が低下した場合には、画像形成は継続して実施するが、記録紙排紙後のファクシミリ受信画像データの削除は行わない。ヒータを一定時間点灯し、結露除去した後に再印字し、再び帯電電圧の低下が起きなかったときにメモリから画像データを消去する。
【先行技術文献】
【特許文献】
【０００５】
【特許文献１】特開２０００−２０９４１５号公報
【特許文献２】特開２００５−３９４７７号公報
【発明の概要】
【発明が解決しようとする課題】
【０００６】
しかしながら、特許文献１及び特許文献２の技術では、結露が生じ得る状態であると判定した場合に、結露を除去するための処理を実行するか否かや、受信したデータの印刷を即座に実行するか否かについて、ユーザの意向が反映されていなかった。
【０００７】
例えば、特許文献１の技術では、夜間待機モードにおいて機内温度が設定値以下の場合には、受信したデータを即座に印刷することはできない。また、特許文献２に記載の技術では、電源の帯電電圧が低下した場合には、結露によって画像不良が生じる場合であっても受信データの全体が印刷されてしまい、印刷用紙の無駄となる場合がある。さらに特許文献２の技術では、電源の帯電電圧が低下した場合には、必ずヒータの一定時間点灯が行われるので、実際には結露が発生しておらず、画像不良が生じていない場合にもヒータ点灯処理がなされてしまい、その間は印刷処理を実行できない場合がある。
【０００８】
本発明はこのような問題点に鑑みなされたもので、結露が生じ得る状態において、ユーザの意向に応じた処理を行うことを目的とする。
【課題を解決するための手段】
【０００９】
そこで、本発明は、画像を印刷する画像形成装置であって、画像に対する印刷処理を行う印刷処理手段と、前記画像形成装置が結露が生じ得る状態である場合に、印刷結果の確認画面を表示手段に表示させる表示処理手段と、前記印刷処理の対象となった対象画像に対する処理に係る指示を受け付ける受付手段とを有することを特徴とする。
【発明の効果】
【００１０】
本発明によれば、結露が生じ得る状態において、ユーザの意向に応じた処理を行うことができる。
【図面の簡単な説明】
【００１１】
【図１】ＭＦＰのハードウェア構成を示すブロック図である。
【図２】印刷部のハードウェア構成を示すブロック図である。
【図３】ＭＦＰのソフトウェア構成図である。
【図４】結露判定処理の動作を示すフローチャートである。
【図５】ファクシミリ受信処理を示すフローチャートである。
【図６】ファクシミリ画像印刷処理の動作示すフローチャートである。
【図７】第１の確認画面の表示例を示す図である。
【図８】第２の確認画面の表示例を示す図である。
【図９】ＰＣプリント画像印刷処理の動作を示すフローチャートである。
【発明を実施するための形態】
【００１２】
以下、本発明の実施形態について図面に基づいて説明する。
図１は、本実施形態におけるＭＦＰのハードウェア構成を示すブロック図である。図１に示すように、ＭＦＰ１００は、ＣＰＵ１０１、ＲＯＭ１０２、ＲＡＭ１０３、表示コントローラ１０４、表示部１０５、操作コントローラ１０６、操作部１０７を備える。また、ＭＦＰ１００は、ｅＭＭＣホストコントローラ１０８、ｅＭＭＣ１０９、読取コントローラ１１０、読取部１１１、印刷コントローラ１１２、印刷部１１３を備える。さらに、ＭＦＰ１００は、ＵＳＢホストコントローラ１１４、ＭＯＤＥＭ１１５、網制御ユニット（ＮＣＵ）１１６、ネットワークインタフェースカード（ＮＩＣ）１１７を備えている。
【００１３】
ＣＰＵ１０１は、システムバス１１８に接続される各デバイスを総括的に制御する。ＣＰＵ１０１は、電源が供給されると、ＲＯＭ１０２に記憶されたブートプログラムを実行する。通常、ブートプログラムは、ストレージに保存されているメインプログラムをＲＡＭ１０３にロードして、ロードされたメインプログラムの先頭にジャンプする。ＲＡＭ１０３は、メインプログラムのロード場所としてだけでなく、メインプログラムのワークエリアなどとして機能する。
【００１４】
表示コントローラ１０４は、表示部１０５に対する描画を制御する。表示部１０５、２８文字×７行の文字列、罫線及びスクロールバーの表示が可能なＬＣＤである。一方、操作コントローラ１０６は、ＭＦＰに装備された操作部１０７からの入力を制御する。操作部１０７は、テンキー、カーソルキー、ワンタッチキーなどを備える。
【００１５】
読取部１１１は、原稿の読み取りを行う。読取部１１１には、オプションとしてオートドキュメントフィーダ（不図示）が装着されており、複数枚の原稿を自動的に読み取ることができる。読取部１１１は読取コントローラ１１０に接続されており、ＣＰＵ１０１は、読取コントローラ１１０を介して読取部１１１とやり取りする。印刷部１１３は、電子写真方式で記録紙に画像形成を行う。印刷部１１３については後述する。印刷部１１３は、印刷コントローラ１１２に接続されており、ＣＰＵ１０１は印刷コントローラ１１２を介して印刷部１１３とやり取りする。
【００１６】
ＵＳＢホストコントローラ１１４は、ＵＳＢのプロトコル制御を受け持ち、ＵＳＢメモリ（不図示）などＵＳＢデバイスに対するアクセスを仲介する。ＭＯＤＥＭ１１５は、ファクシミリ通信に必要な信号の変調・復調を行う。また、ＭＯＤＥＭ１１５はＮＣＵ１１６に接続されている。ＭＯＤＥＭ１１５で変調された信号は、ＮＣＵ１１６を介して公衆回線網（ＰＳＴＮ）へ送出される。ＮＩＣ１１７は、ＬＡＮを介して、メールやファイルのサーバなどと双方向にデータのやり取りを行う。本実施例のＭＦＰ１００は、ストレージとしてｅＭＭＣ１０９を備える。ＣＰＵ１０１は、ｅＭＭＣホストコントローラ１０８を介してｅＭＭＣ１０９にアクセスする。
【００１７】
図２は、本実施形態における印刷部１１３のハードウェア構成を示すブロック図である。図２に示すように、印刷部１１３は、ＣＰＵ２００、ＲＯＭ２０１、ＲＡＭ２０２、ｓｅｒｉａｌ  ｉ／ｆ２０３を備える。また、印刷部１１３は、Ｉ／Ｏ２０４、電子写真系ユニット２０５、用紙搬送系ユニット２０６、環境温度センサー２０７を備える。ＣＰＵ２００は、電源が供給されると、ＲＯＭ２０１に記憶された印刷部制御プログラムを実行する。ＲＡＭ２０２は、記録部制御プログラムのワークエリアなどとして機能する。また、ＣＰＵ２００は、ｓｅｒｉａｌ  ｉ／ｆ２０３を介して、図１記載のＭＦＰ１００のメインプログラムによって発行された各種命令を受信する。そして、ＣＰＵ２００は、受信した各種命令にしたがって、システムバス２０８に接続されるＩ／Ｏ２０４を介して、電子写真系ユニット２０５や用紙搬送系ユニット２０６を制御する。さらに、ＣＰＵ２００は、Ｉ／Ｏ２０４を介して環境温度センサー２０７による温度測定結果を取得することができる。
【００１８】
図３は、本実施形態におけるＭＦＰ１００のソフトウェア構成図である。図３において実線で示した各部は、ＣＰＵ１０１が前述したブートプログラムでＲＡＭ１０３にロードされたメインプログラムを実行することにより実現されるソフトウェアモジュールである。メインプログラムは、ＯＳ（Ｏｐｅｒａｔｉｎｇ  Ｓｙｓｔｅｍ）部３０１によって後述するそれぞれのモジュールの実行が管理・制御されている。ＯＳ部３０１には、ドライバ部３０８が組み合わされている。ドライバ部３０８は、印刷コントローラ１１２やＭＯＤＥＭ１１５などのハードウェアデバイスとのやり取りを仲介する。
【００１９】
ＵＩ（Ｕｓｅｒ  Ｉｎｔｅｒｆａｃｅ）部３０２は、表示部１０５及び操作部１０７を介して各種情報をユーザに提供するとともに、ユーザからの各種指示を受け付ける。ジョブ制御部３０３は、コピーやプリント、ファックスなどのジョブを受け付け、受け付けたジョブの実行を制御する。
【００２０】
Ｓｔｏｒａｇｅ部３０６は、ファクシミリ送信する、あるいは、ファクシミリ受信した画像やユーザ設定などのデータを、物理的にｅＭＭＣ１０９へ格納して管理するソフトウェアモジュールである。例えば、本実施形態のＭＦＰ１００において、ジョブ制御部３０３がファックスジョブを受け付けると、Ｓｃａｎ部３０７はそのジョブ要求を受けて読取部１１１を制御して原稿をスキャンする。そして、スキャンしたファクシミリ画像データはＳｔｏｒａｇｅ部３０６へ格納される。Ｓｔｏｒａｇｅ部３０６に格納されたファクシミリ画像データはＦａｘ部３０４によって読み出され、ＭＯＤＥＭ１１５、ＮＣＵ１１６を介して相手先にファクシミリ送信される。ＭＯＤＥＭ１１５、ＮＣＵ１１６を介して相手先からファクシミリ受信した画像データはまた、Ｆａｘ部３０４によって取り込まれ、Ｓｔｏｒａｇｅ部３０６へ格納される。
【００２１】
Ｐｒｉｎｔ部３０５は、印刷コントローラ１１２を介して、印刷部１１３へ予め定められた各種命令を送出するとともに、印刷部１１３の状態を受信して、印刷部１１３の動作を制御する。例えば、ファクシミリ受信画像の印刷を行う場合、印刷部１１３へ印刷命令を送出した後、Ｓｔｏｒａｇｅ部３０６に格納されている画像ファイルを読み出して、画像ファイルに含まれる画像データを印刷部１１３へ転送する。本実施形態のＭＦＰ１００では、ＶＭ（Ｖｉｒｔｕａｌ  Ｍａｃｈｉｎｅ）／ＦＷ（Ｆｒａｍｅｗｏｒｋ）部３０９を備える。拡張アプリケーション部３１０は、スクリプト言語で記述された任意のプログラム等から構成される。
【００２２】
図４は、印刷部１１３の結露判定処理の動作を示すフローチャートである。図４の処理は、例えば、ユーザによる設定によって、ＭＦＰ１００が結露対策モードで動作するように設定された場合に実行されるようにすることができる。すなわち、ユーザは図４の処理をＭＦＰ１００に実行させるか否かを設定で切り替えることができる。結露判定処理は、図２で触れた印刷部制御プログラムの一部で、図２に記載のＣＰＵ２００に電源が供給されると自動的に実行される。結露判定処理は、ＣＰＵ２００がＲＡＭ２０２に展開された印刷部制御プログラムを実行することにより実現される。
【００２３】
まずＳ４０１において、ＣＰＵ２００は、図２に記載の環境温度センサー２０７から環境温度の測定結果ｔ（ｉ）を取得する。次に、Ｓ４０２において、ＣＰＵ２００は、結露対策実行中か否かを判定する。ＣＰＵ２００は、後述する結露対策処理を実行中の場合には（Ｓ４０２でＹｅｓ）、処理をＳ４０３へ進める。ＣＰＵ２００は、結露対策処理が実行中でない場合には（Ｓ４０２でＮｏ）、処理をＳ４０６へ進める。
【００２４】
Ｓ４０３において、ＣＰＵ２００は、後述する所定時間Ｓ１前に測定した環境温度ｔ（ｉ−１）が、予め定められた温度Ｔ１以下であるか否かを判定する。ＣＰＵ２００は、Ｔ１以下の場合には（Ｓ４０３でＹｅｓ）、処理をＳ４０４へ進める。ＣＰＵ２００は、Ｔ１よりも大きい場合には（Ｓ４０３でＮｏ）、処理をＳ４０６へ進める。
【００２５】
Ｓ４０４において、ＣＰＵ２００は、Ｓ４０１で取得した環境温度ｔ（ｉ）と所定時間Ｓ１前に測定した環境温度ｔ（ｉ−１）との差が、予め定められた値Ｄより大きいか否かを判定する。ＣＰＵ２００は、差がＤより大きい場合には（Ｓ４０４でＹｅｓ）、処理をＳ４０５へ進める。ＣＰＵ２００は、差がＤ以下の場合には（Ｓ４０４でＮｏ）、処理をＳ４０６へ進める。
【００２６】
Ｓ４０５において、ＣＰＵ２００は、結露が生じ得る状態にあると判定し、結露対策モード設定をＯＮにする。ここで、Ｓ４０１〜Ｓ４０５の処理は、温度変化に基づいて、結露が生じ得る状態か否かを判定する判定処理の一例である。また、結露対策モード設定がＯＮにされるのは、Ｓ４０３でｔ（ｉ−１）が予め定められた温度Ｔ１以下であると判定され、かつ、Ｓ４０４でｔ（ｉ）−ｔ（ｉ−１）が予め定められた値Ｄより大きいと判定された場合である。これは、結露が発生しやすい比較的低い温度において、周辺の温度及び湿度の上昇が推定され、結露が生じる可能性があることを意味している。なお、結露対策モード設定はジョブ種毎に設定できることとしてもよい。結露可能性が高い場合にジョブ種毎に結露対策モードをＯＮにするか否かを別途設定可能にすることで、結露が生じる可能性が高い場合の挙動をジョブ種毎に変更可能になる。
【００２７】
次に、Ｓ４０６において、ＣＰＵ２００は、Ｓ４０１で測定した環境温度ｔ（ｉ）を保存する。次に、Ｓ４０７において、ＣＰＵ２００は、所定時間Ｓ１が経過するのを待つ。ＣＰＵ２００は、所定時間Ｓ１が経過すると（Ｓ４０７でいぇｓ）、処理をＳ４０８へ進める。Ｓ４０８において、ＣＰＵ２００は、ｉに１を加算し、その後処理をＳ４０１へ進める。すなわち、Ｓ４０７及びＳ４０８によって所定時間Ｓ１の周期で環境温度ｔ（ｉ）が測定されることになる。
【００２８】
図５は、ファクシミリ受信処理を示すフローチャートである。ファクシミリ受信処理は、図３記載のＦａｘ部３０４を構成するプログラムの一部である。なお、ファクシミリ受信処理は、ＣＰＵ１０１がＲＡＭ１０３に展開されたメインプログラムを実行することにより実現される。図１記載のＮＣＵ１１６を介して着信を受け、ファクシミリ受信手順のネゴシエーションが完了すると、ファクシミリ受信処理が実行される。
【００２９】
Ｓ５０１において、ＣＰＵ１０１は、１ページのファクシミリ受信が完了するのを待つ。ＣＰＵ１０１は、１ページのファクシミリ受信を完了すると（Ｓ５０１でＹｅｓ）、処理をＳ５０２へ進める。Ｓ５０２において、ＣＰＵ１０１は、受信したファクシミリ画像を、所定の画像フォーマットに変換して、図３記載のＳｔｏｒａｇｅ部３０６に１ページの画像ファイルとして保存する。
【００３０】
次に、Ｓ５０３において、ＣＰＵ１０１は、ファクシミリ受信手順で後続ページが存在する信号を受けたか否かを判定する。ＣＰＵ１０１は、後続ページが存在する場合には（Ｓ５０３でＹｅｓ）、処理をＳ５０１へ進める。ＣＰＵ１０１は、後続ページが存在しない場合には（Ｓ５０３でＮｏ）、処理をＳ５０４へ進める。Ｓ５０４において、ＣＰＵ１０１は、ファクシミリ受信のジョブをクローズし、ファクシミリ受信の処理を終了する。
【００３１】
図６は、ファクシミリ画像印刷処理を示すフローチャートである。ファクシミリ画像印刷処理は、図３に記載のＰｒｉｎｔ部３０５を構成するプログラムの一部であり、メインプログラムの初期化処理によって自動的に実行される。Ｓ６０１において、ＣＰＵ１０１は、図５に記載のファクシミリ受信処理によって受信された、ファクシミリ印刷ジョブがひとつ以上生成され、印刷可能状態になるのを待つ。
【００３２】
例えば、ファクシミリ印刷ジョブがない、記録紙やトナーがない、印刷中にジャムが発生しているなどの場合、ＣＰＵ１０１は、印刷不可と判定する。また、強制メモリ受信設定がＯＮの場合には、ファクシミリ受信画像が、図３に記載のＳｔｏｒａｇｅ部３０６に蓄積された状態となる。この場合も、ＣＰＵ１０１は、ファクシミリ印刷ジョブの印刷可能状態でないと判定する。なお、強制メモリ受信設定がＯＮであり、ファクシミリ受信した画像（ファクシミリ画像）がＳｔｏｒａｇｅ部３０６に蓄積された状態であるとする。この場合には、ＣＰＵ１０１は、ファクシミリ画像が、記録紙に記録される代わりにメモリに保持されている旨のメッセージを表示部１０５に表示する。
【００３３】
ＣＰＵ１０１は、ファクシミリ印刷ジョブが存在し、印刷可能な状態であれば（Ｓ６０１でＹｅｓ）、処理をＳ６０２へ進める。Ｓ６０２において、ＣＰＵ１０１は、ファクシミリ受信したページが存在しているか否かを判定する。ＣＰＵ１０１は、ページが存在する場合には（Ｓ６０２でＹｅｓ）、処理をＳ６０５へ進める、ＣＰＵ１０１は、ページが存在しない場合には（Ｓ６０２でＮｏ）、処理をＳ６０３へ進める。例えばファクシミリのページ受信中やすべてのページの受信に終了した場合等に、ページが存在しない状況となる。
【００３４】
Ｓ６０３において、ＣＰＵ１０１は、図５に記載のＳ５０４でジョブがクローズされたか否かを判定する。ＣＰＵ１０１は、ジョブがクローズされたと判定された場合には（Ｓ６０３でＹｅｓ）、処理をＳ６０４へ進める。ＣＰＵ１０１は、ジョブがクローズされたと判定されていない場合には（Ｓ６０３でＮｏ）、処理をＳ６０１へ進める。そして、ＣＰＵ１０１は、次のファクシミリ受信ジョブを待つ。例えばファクシミリのページ受信中でジョブがまだクローズされていないならば、ＣＰＵ１０１は、処理をＳ６０１に戻す。
【００３５】
一方、Ｓ６０５においては、ＣＰＵ１０１は、ファクシミリ受信したページの画像データ（対象画像）の印刷処理を行う。具体的には、ＣＰＵ１０１は、ページの画像ファイルをＳｔｏｒａｇｅ部３０６から読み出し、印刷に係る命令及び画像ファイルに保存されている画像データを、印刷コントローラ１１２を介して印刷部１１３に送る。印刷部１１３は、印刷に係る命令と画像データを受け付けると、該ページの印刷（画像形成）を行う。次に、Ｓ６０６において、ＣＰＵ１０１は、Ｓ６０６における印刷が成功したか否かを判定する。ＣＰＵ１０１は、成功した場合には（Ｓ６０６でＹｅｓ）、処理をＳ６０７へ進める。ＣＰＵ１０１は、失敗した場合には（Ｓ６０６でＮｏ）、処理をＳ６０１へ進める。
【００３６】
Ｓ６０７において、ＣＰＵ１０１は、結露対策モードがＯＮに設定されているかを判定する。ＣＰＵ１０１は、結露対策モードがＯＮに設定されている場合は（Ｓ６０７でＹｅｓ）、処理をＳ６０８へ進める。ＣＰＵ１０１は、結露対策モードがＯＦＦに設定されている場合は（Ｓ６０７でＮｏ）、処理をＳ６１３へ進める。Ｓ６０８において、ＣＰＵ１０１は、第１の確認画面を、表示コントローラ１０４を介して表示部１０５に表示させる。ここで、第１の確認画面は、ユーザに対し、印刷結果に問題がないか確認を求める画面である。また、Ｓ６０８の処理は、表示処理の一例である。
【００３７】
図７は、第１の確認画面７００の表示例を示す図である。第１の確認画面７００には、確認を促す情報と共に、「ＯＫ」ボタン７０１、「後で印刷する」と表示された「後で印刷」ボタン７０２、「クリーニング後再印刷する」と表示された「再印刷」ボタン７０３が表示されている。ここで、クリーニングとは、結露を除去することである。「ＯＫ」ボタン７０１が選択されると、ＣＰＵ１０１は、問題なく印刷結果が得られたことの確認情報と、対応する画像データを消去する旨を指示する消去指示を受け付ける。「後で印刷」ボタン７０２が選択されると、ＣＰＵ１０１は、受信したページ画像の印刷を後で行うこととし、印刷処理を停止する旨を指示する印刷停止指示を受け付ける。「再印刷」ボタン７０３が選択されると、ＣＰＵ１０１は、結露除去処理の後に再印刷を行う旨を指示する再印刷指示を受け付ける。
【００３８】
ＣＰＵ１０１は、第１の確認画面７００に対応した、操作部１０７からのユーザ操作に応じた指示を、操作コントローラ１０６を介して受け付ける。ここで、ボタン７０１〜７０３に応じてＣＰＵ１０１が受け付ける指示は、画像データに対する処理に係る指示の一例である。また、本処理は、ユーザから画像データに対する処理に係る指示を受け付ける受付処理の一例である。
【００３９】
次に、Ｓ６０９において、ＣＰＵ１０１は、第１の確認画面７００において選択されたボタンに応じて受け付けた指示内容を確認する。ＣＰＵ１０１は、「ＯＫ」ボタン７０１が選択され、消去指示を受け付けた場合には、処理をＳ６１０へ進める。ＣＰＵ１０１は、「後で印刷」ボタン７０２が選択され、印刷停止指示を受け付けた場合には、処理をＳ６１４へ進める。ＣＰＵ１０１は、「再印刷」ボタン７０３が選択され、再印刷指示を受け付けた場合には、処理をＳ６１５へ進める。
【００４０】
Ｓ６１０において、ＣＰＵ１０１は、第２の確認画面を、表示コントローラ１０４を介して表示部１０５に表示させる。ここで、第２の確認画面は、結露が生じている可能性がある旨をユーザに通知するための情報と、次回以降においても、印刷結果を確認する第１の確認画面の表示を行うか否かをユーザに確認するための情報を示画面である。すなわち、第２の確認画面は、印刷結果の確認画面の表示を継続するか否かを確認する確認画面の一例であると共に、結露が生じている可能性がある旨をユーザに通知する通知画面の一例である。
【００４１】
図８は、第２の確認画面８００の一例を示す図である。第２の確認画面８００には、「結露が発生している可能性があります」という内容が記載されている。さらに、「次回も印刷結果を確認しますか？」という問い合わせ内容と共に、「ＹＥＳ」ボタン８０１と、「ＮＯ」ボタン８０２が表示されている。「ＹＥＳ」ボタン８０１が選択されると、ＣＰＵ１０１は、第１の確認画面の表示を継続する旨を指示する継続指示を受け付ける。「ＮＯ」ボタン８０２が選択されると、ＣＰＵ１０１は、第１の確認画面の表示を行わない旨を指示する表示停止指示を受け付ける。
【００４２】
Ｓ６１１において、ＣＰＵ１０１は、第２の確認画面８００において選択されたボタンに応じて受け付けた指示内容を確認する。ＣＰＵ１０１は、「ＹＥＳ」ボタン８０１が選択され、継続指示を受け付けた場合には、処理をＳ６１３へ進める。ＣＰＵ１０１は、「ＮＯ」ボタン８０２が選択され、表示停止指示を受け付けた場合には、処理をＳ６１２へ進める。Ｓ６１２において、ＣＰＵ１０１は、結露対策モード設定をＯＦＦにする。次に、Ｓ６１３において、ＣＰＵ１０１は、ステップ６０６において印刷対象となったページの画像ファイルをＳｔｏｒａｇｅ部３０６から消去し、その後処理をＳ６０１へ進める。
【００４３】
一方、Ｓ６１４において、ＣＰＵ１０１は、強制メモリ受信設定をＯＮに変更し、その後処理をＳ６０１へ進める。なお、この場合、ＣＰＵ１０１は、その後に受信するページの画像ファイルに対する印刷処理は行わず、Ｓｔｏｒａｇｅ部３０６に記録する。また、Ｓ６１５においては、ＣＰＵ１０１は、結露除去処理を行う。次に、Ｓ６１６において、ＣＰＵ１０１は、Ｓ６０５において印刷済みの画像データに対する再印刷を行うよう制御し、その後処理をＳ６０１へ進める。印刷部１１３は、ＣＰＵ１０１の制御の下、印刷を行う。
【００４４】
なお、他の例としては、ＣＰＵ１０１は、結露除去処理の実行指示と、再印刷指示とをそれぞれ別の指示として受け付けてもよい。すなわち、ＣＰＵ１０１は、結露除去処理の実行指示を受け付けた場合に、結露除去処理を行い、再印刷指示を受け付けた場合に、再印刷処理を行ってもよい。
【００４５】
結露除去処理は、図２記載の電子写真系ユニット２０５が備えるファン（不図示）を全速で回転させるよう制御し、ファンを回転させたまま所定時間が経過するまで待つ処理である。これは、周辺の温度に対する機体内部の温度の追従を促進し、結露からできるだけ早く回復させるためである。結露除去処理は、結露が除去されるような処理であればよく、実施形態に限定されるものではない。例えば、電子写真系ユニット２０５に用紙の通紙をさせることにより、紙搬送路上の結露を用紙に吸着させる方法等、電子写真系ユニット２０５の結露発生部品の傾向に応じて適切な処理を行うのが好ましい。
【００４６】
図９は、ＰＣプリント画像印刷処理の動作を示すフローチャートである。ＣＰＣプリント画像印刷処理は、ＰＣ等の外部装置から供給されるプリントジョブデータに対する印刷処理である。ＰＣプリント画像印刷処理は、図３のＰｒｉｎｔ部３０５を構成するプログラムの一例である。Ｓ９０１において、ＣＰＵ１０１は、印刷部１１３が印刷可能な状態か否かを判定する。ＣＰＵ１０１は、印刷可能な状態である場合には（Ｓ９０１でＹｅｓ）、処理をＳ９０２へ進める。ＣＰＵ１０１は、印刷可能な状態でない場合には（Ｓ９０１でＮｏ）、印刷可能な状態になるまで待つ。ＣＰＵ１０１は、印刷保留設定がＯＮになっている場合、印刷可能な状態でないと判定する。この場合、ＣＰＵ１０１は、結露又は記録不可の要因で保留になっている旨のメッセージを表示部１０５に表示するように制御する。
【００４７】
Ｓ９０２において、ＣＰＵ１０１は、ページデータの印刷処理を行う。本処理は、Ｓ６０５（図６）の処理と同様である。次に、Ｓ９０３において、ＣＰＵ１０１は、Ｓ９０２における印刷が成功したか否かを判定する。ＣＰＵ１０１は、成功した場合には（Ｓ９０３でＹｅｓ）、処理をＳ９０４へ進める。ＣＰＵ１０１は、失敗した場合には（Ｓ９０３でＮｏ）、処理をＳ９０１へ進める。
【００４８】
Ｓ９０４において、ＣＰＵ１０１は、結露対策モードがＯＮに設定されているかを判定する。ＣＰＵ１０１は、結露対策モードがＯＮに設定されている場合は（Ｓ９０４でＹｅｓ）、処理をＳ９０５へ進める。ＣＰＵ１０１は、結露対策モードがＯＦＦに設定されている場合は（Ｓ９０４でＮｏ）、処理をＳ９０１へ進める。Ｓ９０５において、ＣＰＵ１０１は、第１の確認画面を、表示コントローラ１０４を介して表示部１０５に表示するよう制御する。本処理は、図６において説明したＳ６０８の処理と同様であり、第１の確認画面は、Ｓ６０８において表示したものと同一の確認画面である。
【００４９】
次に、Ｓ９０６において、ＣＰＵ１０１は、第１の確認画面７００に対応して選択されたボタンを確認する。ＣＰＵ１０１は、「ＯＫ」ボタン７０１が選択され、消去指示を受け付けた場合には、処理をＳ９０７へ進める。ＣＰＵ１０１は、「後で印刷」ボタン７０２が選択され、印刷停止指示を受け付けた場合には、処理をＳ９１３へ進める。ＣＰＵ１０１は、「再印刷」ボタン７０３が選択され、再印刷指示を受け付けた場合には、処理をＳ９１４へ進める。Ｓ９０７〜Ｓ９１０の処理は、それぞれ図６において説明したＳ６１０〜Ｓ６１３の処理と同様である。
【００５０】
Ｓ９１０の処理の後、Ｓ９１１において、ＣＰＵ１０１は、次のページが存在するか否かを確認する。ＣＰＵ１０１は、次のページが存在する場合には（Ｓ９１１でＹｅｓ）、処理をＳ９０１へ進める。ＣＰＵ１０１は、次のページが存在しない場合には（Ｓ９１１でＮｏ）、処理をＳ９１２へ進める。Ｓ９１２において、ＣＰＵ１０１は、すべてのページの印刷が終了したＰＣプリントジョブを消去する。以上で、ＰＣプリント画像印刷処理が終了する。
【００５１】
一方、Ｓ９１３において、ＣＰＵ１０１は、印刷保留設定をＯＮに変更し、その後処理をＳ９０１へ進める。また、Ｓ９１４、Ｓ９１５の処理は、それぞれ図６において説明したＳ６１５、Ｓ６１６の処理と同様である。Ｓ９１５の処理の後、ＣＰＵ１０１は、処理をＳ９０１へ進める。
【００５２】
以上のように、本実施形態に係るＭＦＰ１００は、結露が生じ得る状態にある場合には、印刷結果の確認画面を表示するよう制御する。これにより、ユーザは、印刷結果を確認し、適切な指示を行うことができる。また、ＭＦＰ１００は、結露が生じ得る状態においては、ユーザからの指示（削除指示）を受け付けるまでは、印刷対象となった画像をＳｔｏｒａｇｅ部３０６から削除しないよう制御する。そして、ＭＦＰ１００は、結露により印刷に失敗した場合には、ユーザからの指示（再印刷指示）に応じて、再印刷処理を行うことができる。
【００５３】
また、結露の可能性がある状態であっても、ユーザ操作に応じて印刷処理の継続指示を受け付けた場合には、結露除去処理を行うことなく、印刷処理を継続することができる。したがって、ＭＦＰ１００は、無駄に結露除去処理を行わなくてよく、ユーザは、結露除去処理の完了を待つ必要がなくなる。また、設定に応じて、ＰＣプリントジョブ等に対しても同様の制御を行うことができる。
【００５４】
なお、実施形態の変形例としては、Ｓ６０８（図６）、Ｓ９０５（図９）において表示される第１の確認画面においてユーザが選択可能な選択肢は実施形態に限定されるものではない。他の例としては、ジョブの転送指示や中止指示に対応したボタンが表示されてもよい。転送指示、中止指示を設けることにより、ユーザは結露発生中のＭＦＰ１００を使用せず、結露の発生していないＭＦＰ１００で再印刷を行うことが可能になる。
【００５５】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００  ＭＦＰ
２００  ＣＰＵ
３０４  Ｆａｘ部
３０５  Ｐｒｉｎｔ部
３０６  Ｓｔｏｒａｇｅ部
【図１】
2018056914.tif 000003
【図２】
2018056914.tif 000004
【図３】
2018056914.tif 000005
【図４】
2018056914.tif 000006
【図５】
2018056914.tif 000007
【図６】
2018056914.tif 000008
【図７】
2018056914.tif 000009
【図８】
2018056914.tif 000010
【図９】
2018056914.tif 000011